(57)【要約】【課題】本体ゴム弾性体の耐久性やばね特性に悪影響を及ぼすことなく、入力方向や周波数の異なる振動に対して有効な防振効果を得ることができる、新規な構造の流体封入式防振装置を提供すること。【解決手段】第一の取付部材１２と第二の取付部材１４が本体ゴム弾性体１６によって弾性連結されていると共に、壁部の一部が本体ゴム弾性体１６で構成されて内部に非圧縮性流体４４を封入された流体室４０，４２が形成されている流体封入式防振装置１０において、流体室４０に機能性流体５０が封入されていると共に、機能性流体５０に電圧又は磁場を常時印加して機能性流体５０を所定位置に保持する保持手段５２が設けられている。【選択図】図１
2015052351.tif 000002
【特許請求の範囲】
【請求項１】
第一の取付部材と第二の取付部材が本体ゴム弾性体によって弾性連結されていると共に、壁部の一部が該本体ゴム弾性体で構成されて内部に非圧縮性流体を封入された流体室が形成されている流体封入式防振装置において、
前記流体室に機能性流体が封入されていると共に、該機能性流体に電圧又は磁場を常時印加して該機能性流体を所定位置に保持する保持手段が設けられていることを特徴とする流体封入式防振装置。
【請求項２】
前記流体室が主液室と副液室を含んで構成されており、それら主液室と副液室を相互に連通するオリフィス通路が形成されていると共に、それら主液室と副液室の少なくとも一方に前記機能性流体が封入されて前記保持手段によって保持されている請求項１に記載の流体封入式防振装置。
【請求項３】
前記主液室が壁部の一部を前記本体ゴム弾性体で構成された受圧室とされていると共に、前記副液室が壁部の一部を可撓性膜で構成された平衡室とされており、前記機能性流体が該受圧室に封入されて前記保持手段によって保持されている請求項２に記載の流体封入式防振装置。
【請求項４】
前記機能性流体が前記保持手段によって前記オリフィス通路の開口部を外れた位置に保持されている請求項２又は３に記載の流体封入式防振装置。
【請求項５】
前記機能性流体が磁性流体とされていると共に、前記保持手段が該機能性流体に磁場を印加する磁場印加手段とされている請求項１〜４の何れか１項に記載の流体封入式防振装置。
【請求項６】
前記磁場印加手段が永久磁石とされている請求項５に記載の流体封入式防振装置。
【請求項７】
前記流体室には前記第一の取付部材と前記第二の取付部材の相対変位によって変形する狭窄領域が設けられており、前記機能性流体が前記保持手段によって該狭窄領域に保持されている請求項１〜６の何れか１項に記載の流体封入式防振装置。
【請求項８】
前記保持手段で電圧又は磁場を印加された前記機能性流体の粘度が前記非圧縮性流体の粘度よりも大きくされている請求項１〜７の何れか１項に記載の流体封入式防振装置。
【発明の詳細な説明】
【技術分野】
【０００１】
本発明は、自動車のエンジンマウントなどに用いられる流体封入式防振装置に関するものである。
【背景技術】
【０００２】
従来から、振動伝達系を構成する部材間に介装されて、それら部材を相互に防振連結する防振連結体乃至は防振支持体の一種として、防振装置が知られている。防振装置は、第一の取付部材と第二の取付部材が本体ゴム弾性体で弾性連結された構造を有しており、本体ゴム弾性体の内部摩擦等に起因する減衰作用によって振動エネルギーを低減するようになっている。
【０００３】
ところで、ゴム弾性体の変形によって得られる減衰作用には限度があることから、より高度な減衰性能を実現するために、内部に非圧縮性流体を封入した流体室を形成して、流体の流動作用等に基づいた防振効果を利用する流体封入式防振装置も提案されている。この流体封入式防振装置では、一般的に、流体室を受圧室と平衡室に仕切って、それら二室を相互に連通するオリフィス通路を形成する構造が採用されて、オリフィス通路を通じて流体が流動することで流体の共振作用等に基づく防振効果が発揮されるようになっている。例えば、特開平１０−１３２０１５号公報（特許文献１）や特開平８−２８６２３号公報（特許文献２）に示されているのが、それである。
【０００４】
しかしながら、このような流体封入式防振装置は、オリフィス通路がチューニングされた特定周波数の振動入力に対して有効な防振効果が発揮される一方、他の周波数の振動入力に対しては、有効な防振効果を得ることが難しかった。また、主液室と副液室の間に相対的な内圧変動が生ぜしめられる特定方向の振動入力に対して有効な防振効果が発揮される一方で、受圧室の内圧変動が小さくなる他方向の振動入力に対しては、流体の流動作用による防振効果が有効に発揮され難いという問題があった。
【先行技術文献】
【特許文献】
【０００５】
【特許文献１】特開平１０−１３２０１５号公報
【特許文献２】特開平８−２８６２３号公報
【発明の概要】
【発明が解決しようとする課題】
【０００６】
本発明は、上述の事情を背景に為されたものであって、その解決課題は、本体ゴム弾性体の耐久性やばね特性に悪影響を及ぼすことなく、入力方向や周波数の異なる振動に対して有効な防振効果を得ることができる、新規な構造の流体封入式防振装置を提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。
【０００８】
すなわち、本発明の第一の態様は、第一の取付部材と第二の取付部材が本体ゴム弾性体によって弾性連結されていると共に、壁部の一部が該本体ゴム弾性体で構成されて内部に非圧縮性流体を封入された流体室が形成されている流体封入式防振装置において、前記流体室に機能性流体が封入されていると共に、該機能性流体に電圧又は磁場を常時印加して該機能性流体を所定位置に保持する保持手段が設けられていることを、特徴とする。
【０００９】
このような第一の態様に従う構造とされた流体封入式防振装置によれば、振動入力による第一の取付部材と第二の取付部材の相対変位によって、流体室内の所定位置に保持された機能性流体が流動することで、機能性流体の粘性抵抗や機能性流体と非圧縮性流体との界面での摩擦抵抗などによるエネルギー減衰作用に基づいて、目的とする防振効果が発揮される。
【００１０】
しかも、機能性流体が常時保持されていることから、入力振動に応じた制御の必要がなく、簡単な構造によって安定した防振効果を得ることができる。
【００１１】
本発明の第二の態様は、第一の態様に記載された流体封入式防振装置において、前記流体室が主液室と副液室を含んで構成されており、それら主液室と副液室を相互に連通するオリフィス通路が形成されていると共に、それら主液室と副液室の少なくとも一方に前記機能性流体が封入されて前記保持手段によって保持されているものである。
【００１２】
第二の態様によれば、オリフィス通路を通じて流動する流体の共振作用等に基づく防振効果と、機能性流体の粘性などに基づいて発揮される防振効果とを、何れも得ることができて、オリフィス通路による防振効果が発揮され難い振動の周波数や入力方向であっても、有効な防振効果を得ることができる。
【００１３】
本発明の第三の態様は、第二の態様に記載された流体封入式防振装置において、前記主液室が壁部の一部を前記本体ゴム弾性体で構成された受圧室とされていると共に、前記副液室が壁部の一部を可撓性膜で構成された平衡室とされており、前記機能性流体が該受圧室に封入されて前記保持手段によって保持されているものである。
【００１４】
第三の態様によれば、振動入力時に流体流動が効率的に生ぜしめられる受圧室に機能性流体が保持されていることにより、機能性流体の粘性などに基づく防振効果が効果的に発揮される。
【００１５】
本発明の第四の態様は、第二又は第三の態様に記載された流体封入式防振装置において、前記機能性流体が前記保持手段によって前記オリフィス通路の開口部を外れた位置に保持されているものである。
【００１６】
第四の態様によれば、機能性流体がオリフィス通路の開口部を塞ぐように保持されるのを防ぐことで、オリフィス通路を通じた非圧縮性流体の流動が効率的に生じて、流体の流動作用による防振効果を有効に得ることができる。
【００１７】
本発明の第五の態様は、第一〜第四の何れか一つの態様に記載された流体封入式防振装置において、前記機能性流体が磁性流体とされていると共に、前記保持手段が該機能性流体に磁場を印加する磁場印加手段とされているものである。
【００１８】
第五の態様によれば、機能性流体が磁性流体とされることで、磁場印加手段の磁力によって保持された状態では、磁性流体の粘度が増して、粘性抵抗などに基づいて発揮されるエネルギー減衰作用が向上することから、より優れた防振性能が実現される。なお、磁場印加手段としては、電磁石なども採用可能であるが、好適には以下の第六の態様の構造が採用される。
【００１９】
本発明の第六の態様は、第五の態様に記載された流体封入式防振装置において、前記磁場印加手段が永久磁石とされているものである。
【００２０】
第六の態様によれば、磁場印加手段が永久磁石とされることで、簡単な構造によって磁性流体に磁場を印加することができる。しかも、磁場を形成するために常時通電する必要はなく、省エネルギー化も実現される。
【００２１】
本発明の第七の態様は、第一〜第六の何れか一つの態様に記載された流体封入式防振装置において、前記流体室には前記第一の取付部材と前記第二の取付部材の相対変位によって変形する狭窄領域が設けられており、前記機能性流体が前記保持手段によって該狭窄領域に保持されているものである。
【００２２】
第七の態様によれば、振動入力による第一の取付部材と第二の取付部材の相対変位によって機能性流体の流動が生じ易くなって、機能性流体の粘性などに基づいた防振効果が有利に発揮される。特に、入力振動の振幅が小さい場合にも機能性流体の流動が有効に生ぜしめられることから、目的とする防振効果を得ることができる。
【００２３】
本発明の第八の態様は、第一〜第七の態様に記載された流体封入式防振装置において、前記保持手段で電圧又は磁場を印加された前記機能性流体の粘度が前記非圧縮性流体の粘度よりも大きくされているものである。
【００２４】
第八の態様によれば、例えば、オリフィス通路を比較的に粘度の低い非圧縮性流体が小さな流動抵抗で流動することによって、流体の流動作用に基づく防振効果が効率的に発揮されると共に、機能性流体の粘性による防振効果も有効に得ることができる。
【発明の効果】
【００２５】
本発明によれば、流体室に非圧縮性流体と機能性流体が封入されて、機能性流体が保持手段によって所定位置に保持されることから、振動入力によって流体室内で流体流動が生ぜしめられると、機能性流体の粘性による流動抵抗や界面での摩擦抵抗などに基づくエネルギー減衰作用によって、目的とする防振効果が発揮される。
【図面の簡単な説明】
【００２６】
【図１】本発明の第一の実施形態としてのエンジンマウントであって、図２のＩ−Ｉ断面図。
【図２】図１のＩＩ−ＩＩ断面図。
【図３】本発明の第二の実施形態としてのエンジンマウントであって、図４のＩＩＩ−ＩＩＩ断面図。
【図４】図３のＩＶ−ＩＶ断面図。
【図５】本発明の第三の実施形態としてのエンジンマウントであって、図６のＶ−Ｖ断面図。
【図６】図５のＶＩ−ＶＩ断面図。
【図７】本発明の第四の実施形態としてのエンジンマウントであって、図８のＶＩＩ−ＶＩＩ断面図。
【図８】図７のＶＩＩＩ−ＶＩＩＩ断面図。
【図９】本発明の第五の実施形態としてのエンジンマウントであって、図１０のＩＸ−ＩＸ断面図。
【図１０】図９のＸ−Ｘ断面図。
【図１１】本発明の第六の実施形態としてのエンジンマウントであって、図１２のＸＩ−ＸＩ断面図。
【図１２】図１１のＸＩＩ−ＸＩＩ断面図。
【図１３】本発明の第七の実施形態としてのエンジンマウントであって、図１４のＸＩＩＩ−ＸＩＩＩ断面図。
【図１４】図１３のＸＩＶ−ＸＩＶ断面図。
【図１５】本発明の第八の実施形態としてのエンジンマウントであって、図１６のＸＶ−ＸＶ断面図。
【図１６】図１５のＸＶＩ−ＸＶＩ断面図。
【発明を実施するための形態】
【００２７】
以下、本発明の実施形態について、図面を参照しつつ説明する。
【００２８】
図１，２には、本発明に従う構造とされた流体封入式防振装置の第一の実施形態として、自動車用のエンジンマウント１０が示されている。エンジンマウント１０は、第一の取付部材１２と第二の取付部材１４を本体ゴム弾性体１６によって弾性連結した構造を有している。なお、以下の説明において、上下方向とは図１中の上下方向を、左右方向とは図１中の左右方向を、前後方向とは図２中の左右方向を、それぞれ言う。
【００２９】
より詳細には、第一の取付部材１２は、鉄やアルミニウム合金などで形成された高剛性の部材であって、厚肉小径の略円筒形状を有している。更に、第一の取付部材１２には、ストッパ部材１８が取り付けられている。ストッパ部材１８は、第一の取付部材１２に外嵌固着される環状の固着部２０から径方向一方側にバウンドストッパ部２２が突出すると共に、径方向他方側にリバウンドストッパ部２４が突出した構造とされている。なお、リバウンドストッパ部２４は、固着部２０から軸方向両側にも突出しており、バウンドストッパ部２２よりも軸方向寸法が大きくされている。
【００３０】
また、第一の取付部材１２には、中間スリーブ２６が外挿されている。中間スリーブ２６は、第一の取付部材１２と同様に高剛性の部材とされており、薄肉大径の略円筒形状とされている。更に、中間スリーブ２６には、一対の窓部２８ａ，２８ｂが形成されている。窓部２８は、中間スリーブ２６の軸方向略中央部分を貫通して、半周に満たない所定の長さで周方向に延びている。なお、中間スリーブ２６における一対の窓部２８ａ，２８ｂの周方向間には、外周に開口して周方向に延びる周溝３０がそれぞれ形成されており、周溝３０の周方向両端が一対の窓部２８ａ，２８ｂに連通されている。
【００３１】
第一の取付部材１２と中間スリーブ２６は、本体ゴム弾性体１６によって弾性連結されている。本体ゴム弾性体１６は、厚肉大径の略円筒形状とされており、内周面が第一の取付部材１２およびストッパ部材１８に加硫接着されていると共に、外周端部が中間スリーブ２６に加硫接着されている。本体ゴム弾性体１６は、第一の取付部材１２と中間スリーブ２６を備えた一体加硫成形品として形成されている。
【００３２】
さらに、本体ゴム弾性体１６には、外周面に開口する一組のポケット部３２ａ，３２ｂが形成されている。ポケット部３２ａは、バウンドストッパ部２２が突出する径方向一方で本体ゴム弾性体１６の外周面に開口する凹所状とされており、窓部２８ａを通じて外周側に開口している。一方、ポケット部３２ｂは、リバウンドストッパ部２４が突出する径方向他方で本体ゴム弾性体１６の外周面に開口する凹所状とされており、窓部２８ｂを通じて外周側に開口している。
【００３３】
更にまた、本体ゴム弾性体１６にはスリット３４が形成されている。スリット３４は、本体ゴム弾性体１６を軸方向に貫通しており、第一の取付部材１２の外周側を半周程度の長さで周方向に延びている。更に、スリット３４は、周方向両端部が中間スリーブ２６の内周面に接近している。これにより、本体ゴム弾性体１６における窓部２８ｂの壁部を構成する部分が、スリット３４によって薄肉化されて実質的に独立しており、当該部分によって可撓性膜３６が構成されている。以上からも明らかなように、本実施形態における可撓性膜３６は、本体ゴム弾性体１６と一体形成されている。
【００３４】
さらに、中間スリーブ２６の外周面には、本体ゴム弾性体１６と一体形成されたシールゴム層３８が加硫接着されている。本実施形態では、中間スリーブ２６における周溝３０の内面が露出しているが、周溝３０の内面をゴム層によって覆っても良い。
【００３５】
また、中間スリーブ２６には、第二の取付部材１４が外嵌されている。第二の取付部材１４は、第一の取付部材１２と同様に高剛性の部材であって、薄肉大径の略円筒形状を呈している。そして、第二の取付部材１４は、中間スリーブ２６に外挿された状態で、八方絞り等の縮径加工を施されることにより、中間スリーブ２６に外嵌固定されている。なお、中間スリーブ２６と第二の取付部材１４の重ね合わせ面間がシールゴム層３８によって流体密に封止されている。
【００３６】
また、第二の取付部材１４が中間スリーブ２６に外嵌されることにより、中間スリーブ２６の一対の窓部２８ａ，２８ｂが第二の取付部材１４によって覆蓋されている。これにより、壁部の一部を本体ゴム弾性体１６で構成された主液室としての受圧室４０が、ポケット部３２ａを利用して形成されていると共に、壁部の一部を可撓性膜３６で構成された副液室としての平衡室４２が、ポケット部３２ｂを利用して形成されている。なお、本実施形態では、受圧室４０と平衡室４２によって流体室が構成されている。
【００３７】
それら受圧室４０と平衡室４２には、非圧縮性流体４４が封入されている。非圧縮性流体４４は、特に限定されるものではないが、例えば、水やエチレングリコール、アルキレングリコール、ポリアルキレングリコール、シリコーン油、或いはそれらの混合液などが好適に採用される。また、後述する流体の流動作用に基づく防振効果を有利に得るために、非圧縮性流体４４としては、０．１Ｐａ・ｓ以下の低粘性流体が望ましい。
【００３８】
また、中間スリーブ２６の周溝３０の外周開口が第二の取付部材１４で覆蓋されることにより、周方向に延びるトンネル状の流路が形成されている。そして、受圧室４０と平衡室４２を相互に連通するオリフィス通路４６が、一方の周溝３０を利用して形成されている。また、他方の周溝３０内には、本体ゴム弾性体１６と一体形成された隔壁ゴム４８が周上の一部に形成されており、トンネル状の流路が途中で遮断されている。なお、オリフィス通路４６は、受圧室４０および平衡室４２の壁ばね剛性を考慮しながら、通路断面積（Ａ）と通路長（Ｌ）の比（Ａ／Ｌ）を調節することで、流動流体の共振周波数（チューニング周波数）が設定されており、本実施形態では、エンジンシェイクに相当する十Ｈｚ程度の低周波数に設定されている。
【００３９】
ここにおいて、受圧室４０には、機能性流体としての磁性流体５０が封入されている。磁性流体５０は、例えば、磁鉄鉱（Ｆｅ3 Ｏ4 ）などの強磁性体を１００Ａ程度の粉末（微粒子）にしたものを、疎水性の界面活性剤で表面処理すると共に、シリコーン油などの液相中に安定して分散化せしめたものであって、磁力や遠心力などの作用に対して強磁性体の液相中での凝集や沈殿が生じることなく、流体自体が磁性を持つように振舞う性質を有する。要するに、機能性流体としては、例えば、分散粒子や分子に対して磁力やローレンツ力に基づいた保持力が及ぼされるものが採用される。なお、磁性流体５０の液相は、非圧縮性流体４４と相容性のない流体であることが望ましく、例えば、親水性流体と非親水性流体の組み合わせが好適に採用され得る。また、分散粒子の表面処理に用いられる界面活性剤は磁性流体５０の液相と親和性のものが用いられる。尤も、上記の磁性流体５０は、あくまでも例示であって、各種公知のものが採用され得る。
【００４０】
この磁性流体５０は、非圧縮性流体４４と共に封入流体として受圧室４０に封入されている。そして、磁性流体５０は、ストッパ部材１８に固着された保持手段としての永久磁石５２によって保持されている。永久磁石５２は、リバウンドストッパ部２４の突出先端部分に埋設されており、リバウンドストッパ部２４の突出方向に着磁されている。これにより、磁性流体５０は、永久磁石５２の磁場が常時印加されることによって、粘度が増大せしめられていると共に、磁気的な吸引力が及ぼされており、リバウンドストッパ部２４の突出先端側に保持されている。なお、本実施形態の保持手段は、永久磁石５２で構成されていることからも明らかなように、磁性流体５０に磁場を常時印加する磁場印加手段とされている。
【００４１】
さらに、永久磁石５２の磁場が印加されて保持された磁性流体５０は、非圧縮性流体４４よりも粘度が大きくされている。なお、永久磁石５２の磁場は、磁性流体５０を所定の位置に常時保持し得る強さとされており、更には要求される磁性流体５０の粘度などに応じて適宜に設定される。
【００４２】
本実施形態では、受圧室４０にリバウンドストッパ部２４が突出することで、リバウンドストッパ部２４の突出先端と第二の取付部材１４との径方向間に、他の部分よりも狭幅とされた狭窄領域５４が形成されており、かかる狭窄領域５４に磁性流体５０が保持されている。この狭窄領域５４は、第一の取付部材１２と第二の取付部材１４の相対変位によって変形するようになっていると共に、第一の取付部材１２と第二の取付部材１４の相対変位時に封入流体が流動するようになっている。また、狭窄領域５４は、オリフィス通路４６の受圧室４０側の開口部を外れて設けられており、磁性流体５０がオリフィス通路４６の開口部から離れた位置に保持されている。なお、図１，２では、分かり易さのために、磁性流体５０が非圧縮性流体４４とは異なるハッチングと境界線によってモデル的に示されている。
【００４３】
このような本実施形態に従う構造とされたエンジンマウント１０は、第一の取付部材１２が図示しないパワーユニットに取り付けられると共に、第二の取付部材１４が図示しない車両ボデーに取り付けられることにより、車両に装着される。
【００４４】
そして、エンジンシェイクに相当する低周波大振幅振動が上下方向に入力されると、受圧室４０には平衡室４２に対する相対的な圧力変動が惹起される。その結果、受圧室４０と平衡室４２の間でオリフィス通路４６を通じて流体流動が生ぜしめられて、流体の流動作用に基づく防振効果が有効に発揮される。
【００４５】
本実施形態では、磁性流体５０が永久磁石５２によってオリフィス通路４６の受圧室４０側の開口部を外れた位置に保持されており、オリフィス通路４６を通じた非圧縮性流体４４の流動が磁性流体５０によって阻害されることなく惹起されて、オリフィス通路４６による防振効果が有効に発揮される。
【００４６】
なお、エンジンマウント１０では、上下方向に過大な振動が入力されると、ストッパ部材１８が第二の取付部材１４に当接することで、第一の取付部材１２と第二の取付部材１４の相対変位量が制限されるようになっている。要するに、本実施形態では、バウンドストッパ部２２と第二の取付部材１４の当接によってバウンドストッパ手段が構成されると共に、リバウンドストッパ部２４と第二の取付部材１４の当接によってリバウドストッパ手段が構成されるようになっている。
【００４７】
さらに、第一の取付部材１２に下向きの荷重が入力されると、磁性流体５０による減衰作用も発揮されるようになっている。即ち、第一の取付部材１２に固定されたストッパ部材１８のリバウンドストッパ部２４が第二の取付部材１４に対して接近変位せしめられて、磁性流体５０がリバウンドストッパ部２４と第二の取付部材１４の間で圧縮されると、磁性流体５０が受圧室４０内で流動することにより、磁性流体５０の粘性抵抗などに基づいてエネルギー減衰作用が発揮される。これにより、下向きの荷重入力に対して有利に防振効果を得ることができる。
【００４８】
特に、磁性流体５０が永久磁石５２の磁場によって常時保持されており、入力振動に応じた制御の必要がないことから、簡単な構造によって目的とする防振効果を安定して得ることができる。
【００４９】
本実施形態では、磁性流体５０が第二の取付部材１４とリバウンドストッパ部２４の先端との間に形成された狭窄領域５４に保持されており、下向きの入力に対して磁性流体５０が圧縮され易くなっている。それ故、磁性流体５０の粘性による防振効果が有利に発揮されて、特に入力振動の振幅が小さい場合であっても有効な防振効果を得ることができる。
【００５０】
さらに、リバウンドストッパ手段の当接面上に磁性流体５０が保持されていることから、磁性流体５０の減衰作用により、ストッパ当接時の衝撃の緩和作用も期待できる。特に、磁性流体５０は流動可能であるが故に、リバウンドストッパ部２４の第二の取付部材１４への直接の当接を阻害するものではなく、第一の取付部材１２と第二の取付部材１４の相対変位の許容量を確保しつつ、ストッパ緩衝作用の向上やリバウンドストッパ部２４の先端面を覆うゴム層の耐久性の向上などが図られ得る。
【００５１】
このような磁性流体５０の粘性などに基づく減衰作用は、入力振動の周波数がオリフィス通路４６のチューニング周波数を外れた周波数であっても発揮され得ることから、より広い周波数域で有効な防振効果を得ることができる。また、磁性流体５０を封入保持する本発明構造によれば、本体ゴム弾性体１６の特性を設計変更する場合などに比して、エンジンマウント１０の静ばね特性や高周波小振幅振動に対する防振特性への過度の悪影響を回避しつつ、高い減衰特性を付与することが可能である。
【００５２】
一方、前後方向や左右方向の入力に対しては、受圧室４０の内圧変動が生じ難いが、受圧室４０内での流体流動は生じることから、磁性流体５０の粘性などに基づく減衰作用が発揮される。これにより、エンジンマウント１０では、上下方向の振動入力だけでなく、多方向の振動入力に対して、有効な防振効果を得ることができる。
【００５３】
本実施形態では、壁部の一部が本体ゴム弾性体１６で構成された受圧室４０に磁性流体５０が封入保持されていることから、振動入力時に流体流動が有効に生ぜしめられて、磁性流体５０の粘性などによる防振効果を有効に得ることができる。
【００５４】
また、機能性流体として磁性流体５０が用いられており、永久磁石５２の磁場が常時印加されることで磁性流体５０の粘度が高められていることから、流動抵抗などによる防振効果をより効率的に得ることができる。
【００５５】
さらに、保持手段として永久磁石５２が用いられていることから、簡単な構造によって磁性流体５０を所定の位置に保持する磁場を形成することができる。しかも、永久磁石５２を採用することで、通電などのエネルギー消費を要することなく磁場を形成することができて、省エネルギー化も図られ得る。
【００５６】
図３，４には、本発明の第二の実施形態としてのエンジンマウント６０が示されている。エンジンマウント６０は、第一の実施形態のエンジンマウント１０に対して、配設数と配設位置が異なる永久磁石６２を備えている。以下の説明において、第一の実施形態と実質的に同一の部材および部位については、図中に同一の符号を付すことにより説明を省略する。
【００５７】
より詳細には、永久磁石６２は、リバウンドストッパ部２４の突出先端における前後両端部にそれぞれ配設されており、何れも前後方向（図４中、左右方向）に着磁されている。
【００５８】
このように一対の永久磁石６２，６２が配設されることにより、受圧室４０に封入された磁性流体５０に一対の永久磁石６２，６２の磁場が印加されて、磁性流体５０に磁気的な吸引力が及ぼされると共に、磁性流体５０の粘度が増大せしめられている。これにより、磁性流体５０は、図４に示すように、リバウンドストッパ部２４の前後両側に常時保持されている。なお、本実施形態では、受圧室４０の前後壁部とリバウンドストッパ部２４との間に形成される狭窄領域６４に、磁性流体５０が保持されている。
【００５９】
このような本実施形態に従う構造とされたエンジンマウント６０では、特に前後方向の振動入力に対して、磁性流体５０の粘性抵抗などに基づく防振効果が有利に発揮される。それ故、上下方向の振動入力に対して発揮されるオリフィス通路４６による防振効果と組み合わされて、多方向での防振が効果的に実現される。
【００６０】
図５，６には、本発明の第三の実施形態としてのエンジンマウント７０が示されている。本実施形態のエンジンマウント７０は、一対の永久磁石７２，７２を備えている。
【００６１】
より詳細には、一対の永久磁石７２，７２は、何れも本体ゴム弾性体１６に固着されており、受圧室４０の前後壁内面にそれぞれ露出した状態で保持されている。なお、一対の永久磁石７２，７２は、何れも前後方向（図６中、左右方向）に着磁されている。
【００６２】
このように一対の永久磁石７２，７２が配設されて磁性流体５０に磁場が常時印加されることにより、図６に示すように、磁性流体５０が粘度を増した状態で受圧室４０の前後壁内面上に常時保持されている。なお、本実施形態では、第二の実施形態と同様に、受圧室４０の前後壁部とリバウンドストッパ部２４との間に形成される狭窄領域７４に磁性流体５０が保持されている。
【００６３】
このような本実施形態に従う構造とされたエンジンマウント７０では、特に前後方向の振動入力に対して、磁性流体５０の粘性抵抗に基づく防振効果が有利に発揮される。それ故、上下方向の振動入力に対して発揮されるオリフィス通路４６による防振効果と組み合わされて、多方向での防振が効果的に実現される。
【００６４】
図７，８には、本発明の第四の実施形態としてのエンジンマウント８０が示されている。本実施形態のエンジンマウント８０は、永久磁石８２を備えている。
【００６５】
より詳細には、永久磁石８２は、本体ゴム弾性体１６に固着されており、受圧室４０の上壁内面に露出した状態で保持されている。また、永久磁石８２は、オリフィス通路４６の開口部に対して、リバウンドストッパ部２４を挟んだ周方向の反対側に配置されている。なお、永久磁石８２は、上下方向（図７中、上下方向）に着磁されている。
【００６６】
このように永久磁石８２が配設されることにより、図７に示すように、磁性流体５０が粘度を増した状態で受圧室４０の上壁内面上に常時保持されている。また、磁性流体５０は、永久磁石８２の磁場による保持力によって、オリフィス通路４６の開口部を外れた位置に保持されている。なお、本実施形態では、受圧室４０の左壁部とリバウンドストッパ部２４との間に形成される狭窄領域８４に磁性流体５０が保持されている。
【００６７】
このような本実施形態に従う構造とされたエンジンマウント８０では、特に左右方向の振動入力に対して、磁性流体５０の粘性抵抗に基づく防振効果が有利に発揮される。それ故、上下方向の振動入力に対して発揮されるオリフィス通路４６による防振効果と組み合わされて、多方向での防振が効果的に実現される。
【００６８】
図９，１０には、本発明の第五の実施形態としてのエンジンマウント９０が示されている。エンジンマウント９０は、第一の取付部材９２と第二の取付部材９４が本体ゴム弾性体９６によって弾性連結された構造を有している。以下の説明において、上下方向とは原則として、図９中の上下方向を言う。
【００６９】
より詳細には、第一の取付部材９２は、鉄やアルミニウム合金などで形成された略円形ブロック形状の高剛性の部材であって、中心軸上を延びて上面に開口するねじ穴９８が形成されている。また、第一の取付部材９２の下端には、かしめ片１００が一体で設けられている。
【００７０】
第二の取付部材９４は、第一の取付部材９２と同様に高剛性の部材とされており、薄肉大径の略円筒形状を有していると共に、軸方向中間に設けられた段差部を挟んで上方が下方よりも大径とされている。
【００７１】
そして、第一の取付部材９２と第二の取付部材９４が略同一中心軸上に配置されて、それら第一の取付部材９２と第二の取付部材９４が本体ゴム弾性体９６によって弾性連結されている。本体ゴム弾性体９６は、厚肉大径の略円錐台形状とされており、小径側の端部が第一の取付部材９２に加硫接着されていると共に、大径側の端部が第二の取付部材９４に加硫接着されている。
【００７２】
さらに、本体ゴム弾性体９６には、大径凹所１０２が形成されている。大径凹所１０２は、逆向きの略すり鉢形状を呈する凹所であって、本体ゴム弾性体９６の下面に開口している。更にまた、本体ゴム弾性体９６と一体形成された筒状のシールゴム層１０４が下方に向かって延び出しており、第二の取付部材９４の小径部分の内周面がシールゴム層１０４で被覆されている。なお、本実施形態では、第一の取付部材９２が本体ゴム弾性体９６の径方向中央を上下に貫通して配設されており、第一の取付部材９２のかしめ片１００が大径凹所１０２内に突出している。
【００７３】
また、第二の取付部材９４には、可撓性膜１０６が取り付けられている。可撓性膜１０６は、薄肉円形のゴム膜であって、上下に緩みを有している。そして、可撓性膜１０６は、外周端に固着された環状の固定部材１０８が第二の取付部材９４の下端部に流体密に嵌着されている。なお、本実施形態の可撓性膜１０６は、本体ゴム弾性体９６とは別体とされている。
【００７４】
可撓性膜１０６が取り付けられることによって、本体ゴム弾性体９６と可撓性膜１０６の間には流体室１１０が形成されており、この流体室１１０に非圧縮性流体４４が封入されている。
【００７５】
また、流体室１１０には、仕切部材１１２が配設されている。仕切部材１１２は、仕切部材本体１１４と底金具１１６を重ね合わせて、それら仕切部材本体１１４と底金具１１６の間に可動膜１１８を挟持せしめた構造とされている。
【００７６】
仕切部材本体１１４は、金属や合成樹脂で形成された硬質の部材であって、厚肉の略円板形状を有している。また、仕切部材本体１１４には、外周面に開口して周方向に一周に満たない長さで延びる周溝１２０が形成されている。なお、仕切部材本体１１４の内周部分が外周部分よりも薄肉とされていると共に、中央部分には上下に貫通する円形の中央孔が形成されている。
【００７７】
底金具１１６は、薄肉の略円環板形状とされており、内周部分が外周部分よりも上方に位置する段付き形状とされている。そして、底金具１１６は、外周部分が仕切部材本体１１４の外周部分に下方から重ね合わされて固定されている。
【００７８】
さらに、仕切部材本体１１４と底金具１１６の内周部分の重ね合わせ面間には、可動膜１１８が配設されている。可動膜１１８は、略円板形状とされており、厚肉とされた外周端部が仕切部材本体１１４と底金具１１６の間で挟持されていると共に、中央部分がそれら仕切部材本体１１４と底金具１１６の中央孔によって上下方向の弾性変形を許容されている。
【００７９】
このような構造とされた仕切部材１１２は、流体室１１０内に軸直角方向で広がるように配設されており、外周面が第二の取付部材９４に重ね合わされて保持されていると共に、外周端部が本体ゴム弾性体９６の下面と固定部材１０８との軸方向間で挟持されている。
【００８０】
これにより、流体室１１０が仕切部材１１２を挟んで上下に二分されており、仕切部材１１２を挟んだ上方には、壁部の一部が本体ゴム弾性体９６で構成された受圧室１２２が形成されている一方、仕切部材１１２を挟んだ下方には、壁部の一部が可撓性膜１０６で構成された平衡室１２４が形成されている。
【００８１】
さらに、第二の取付部材９４で覆われてトンネル状とされた周溝１２０の両端部が受圧室１２２と平衡室１２４の各一方に連通されており、受圧室１２２と平衡室１２４を相互に連通するオリフィス通路１２６が形成されている。
【００８２】
更にまた、可動膜１１８の上面に受圧室１２２の液圧が及ぼされていると共に、下面に平衡室１２４の液圧が及ぼされており、受圧室１２２と平衡室１２４の相対的な圧力変動によって可動膜１１８が上下に弾性変形して、液圧が伝達されるようになっている。
【００８３】
ここにおいて、受圧室１２２には磁性流体５０が封入されており、この磁性流体５０が受圧室１２２内に配設された永久磁石１２８，１２８，１２８，１２８によって、所定の位置に保持されている。永久磁石１２８は、図１０に示すように、周方向に所定の長さで延びており、同一周上で四つが互いに所定距離を隔てて配設されている。
【００８４】
さらに、永久磁石１２８，１２８，１２８，１２８は、第一の取付部材９２によって支持されて受圧室１２２内に配置されている。具体的には、永久磁石１２８は、図９に示すように、支持部材１３０に固定されており、支持部材１３０が第一の取付部材９２のかしめ片１００にかしめ固定されることで、第一の取付部材９２によって支持されている。支持部材１３０は、逆向きの略有底円筒形状を呈すると共に、上底壁部の外周端部が外周に向かって下傾するテーパ形状とされている。そして、支持部材１３０の上底壁部の外周端部に四つの永久磁石１２８，１２８，１２８，１２８が固着されている。なお、各永久磁石１２８は、支持部材１３０に対する重ね合わせ方向にそれぞれ着磁されている。
【００８５】
そして、受圧室１２２に封入された磁性流体５０は、永久磁石１２８，１２８，１２８，１２８の磁場が常時印加されることにより、粘度が増大せしめられていると共に、磁気的な吸引力が及ぼされている。これにより、磁性流体５０は、本体ゴム弾性体９６と支持部材１３０の上底壁部との間に形成された狭窄領域１３２に常時保持されている。
【００８６】
このような構造とされたエンジンマウント９０は、第一の取付部材９２が図示しないパワーユニットに取り付けられると共に、第二の取付部材９４が図示しない車両ボデーに取り付けられることにより、車両に装着される。
【００８７】
そして、車両装着状態でエンジンシェイクに相当する低周波大振幅振動が上下方向に入力されると、オリフィス通路１２６を通じて流動する流体の共振作用等に基づいて、目的とする防振効果が発揮される。
【００８８】
また、アイドリング振動や走行こもり音に相当する中乃至高周波小振幅振動の入力時には、オリフィス通路１２６が反共振によって実質的に遮断されると共に、可動膜１１８の弾性変形による液圧吸収作用が有効に基づいて目的とする防振効果が発揮される。
【００８９】
また、軸方向および軸直角方向の振動入力に対しては、磁性流体５０の粘性抵抗などに基づく防振効果が発揮される。即ち、第一の取付部材９２が第二の取付部材９４に対して相対変位すると、本体ゴム弾性体９６と支持部材１３０の間に形成された狭窄領域１３２が変形して、狭窄領域１３２において流体流動が生ぜしめられる。それ故、永久磁石１２８で保持された磁性流体５０の粘性などに基づいて、振動エネルギーに対する減衰作用を得ることができる。
【００９０】
このように、お椀形のエンジンマウント９０においても、本発明を適用することで、筒形の流体封入式防振装置と同様に、簡単な構造によって入力方向や周波数の異なる複数種類の入力振動に対して、有効な防振効果を得ることができる。
【００９１】
図１１，１２には、本発明の第六の実施形態としてのエンジンマウント１４０が示されている。エンジンマウント１４０では、永久磁石１４２が第一の取付部材９２の外周面に固着されていると共に、本体ゴム弾性体９６に形成された保持凹所１４４に磁性流体５０が保持されている。
【００９２】
より詳細には、永久磁石１４２は、第一の取付部材９２の外周面に開口する四つの凹所１４６，１４６，１４６，１４６にそれぞれ配設されている。
【００９３】
また、保持凹所１４４は、周方向に所定の長さをもって略上下に延びる凹所であって、大径凹所１０２の上底面に開口している。更に、保持凹所１４４は、本体ゴム弾性体９６の内周部分において周上で所定の距離を隔てた四つが形成されている。更にまた、保持凹所１４４が永久磁石１４２の外周側にまで達する深さで形成されており、各保持凹所１４４に各永久磁石１４２の磁場が作用している。なお、本実施形態では、保持凹所１４４内の領域が受圧室１２２の一部を構成しており、保持凹所１４４内に狭窄領域が設けられている。
【００９４】
図１１に示すように、受圧室１２２に封入された磁性流体５０は、永久磁石１４２の磁場が印加されており、粘度が増大せしめられると共に、磁気的な吸引力が及ぼされることによって、保持凹所１４４内に保持されている。そして、第一の取付部材９２と第二の取付部材９４の間に振動が入力されると、本体ゴム弾性体９６の弾性変形によって保持凹所１４４が変形して、保持凹所１４４内に流体流動が生じるようになっている。これにより、磁性流体５０の粘性などに基づくエネルギー減衰作用によって、目的とする防振効果が有効に発揮される。
【００９５】
また、永久磁石１４２が第一の取付部材９２に直接的に支持されると共に、狭窄領域が本体ゴム弾性体９６に形成された保持凹所１４４によって構成されることから、第五の実施形態の支持部材１３０の如き部材が不要とされており、部品点数の少ない簡単な構造とすることができる。
【００９６】
図１３，１４には、本発明の第七の実施形態としてのエンジンマウント１５０が示されている。エンジンマウント１５０では、永久磁石１５２が、仕切部材１１２に設けられた支持部材１５４に固着されて、第二の取付部材９４側に支持されている。
【００９７】
より詳細には、支持部材１５４は、周方向に連続して仕切部材１１２の上面に固着される固着部１５６と、固着部１５６から上方に向かって突出する複数の支柱部１５８とを一体で備えており、支柱部１５８の先端部分に永久磁石１５２が重ね合わされて固着されている。なお、永久磁石１５２が固着される支柱部１５８の先端部分は、先端側に向かって内周側に傾斜するテーパ形状とされており、支柱部１５８の先端部分と大径凹所１０２の壁内面との間に狭窄領域１６０が形成されている。また、永久磁石１５２は、支柱部１５８に対する重ね合わせ方向に着磁されている。
【００９８】
図１３に示すように、受圧室１２２に封入された磁性流体５０は、永久磁石１５２の磁場が印加されることによって、狭窄領域１６０に保持されている。そして、第一の取付部材９２と第二の取付部材９４の間に振動が入力されて、第一の取付部材９２と第二の取付部材９４が相対変位することにより、狭窄領域１６０が変形して流体流動が生ぜしめられる。その結果、磁性流体５０の粘性などに基づくエネルギー減衰作用が発揮されて、目的とする防振効果を有効に得ることができる。
【００９９】
図１５，１６には、本発明の第八の実施形態としてのエンジンマウント１７０が示されている。エンジンマウント１７０では、永久磁石１７２が、仕切部材本体１１４から突出する複数の支柱部１７４にそれぞれ固着されて、第二の取付部材９４側に支持されており、本体ゴム弾性体９６に突出形成された狭窄凸部１７６と対向せしめられている。
【０１００】
より詳細には、支柱部１７４は、仕切部材本体１１４の内周端部から上方に向かって突出しており、四つが周方向に所定距離を隔てて配置されている。また、支柱部１７４には内周面に開口する凹溝１７５が形成されており、その凹溝１７５に永久磁石１７２が嵌め入れられて固着されている。なお、永久磁石１７２は、支柱部１７４との重ね合わせ方向（マウント軸直角方向）に着磁されている。
【０１０１】
また、本体ゴム弾性体９６には、大径凹所１０２の上底壁部から下方に向かって突出する四つの狭窄凸部１７６，１７６，１７６，１７６が形成されている。この狭窄凸部１７６は、先端部分が永久磁石１７２と軸直角方向で対向する位置まで延び出しており、永久磁石１７２と狭窄凸部１７６の間に狭窄領域１７８が形成されている。
【０１０２】
図１６に示すように、受圧室１２２に封入された磁性流体５０は、永久磁石１７２の磁場が印加されることによって、狭窄領域１７８に保持されている。そして、第一の取付部材９２と第二の取付部材９４が振動入力によって相対変位すると、支柱部１７４および永久磁石１７２と狭窄凸部１７６の対向面間で流体流動が生ぜしめられて、粘性抵抗などに基づく防振効果が有効に発揮されるようになっている。
【０１０３】
また、支柱部１７４および永久磁石１７２と狭窄凸部１７６が軸直角方向で接近変位して当接しても、狭窄凸部１７６が弾性変形することで当接による衝撃力が低減されるようになっており、打音が低減されている。
【０１０４】
以上、本発明の実施形態について詳述してきたが、本発明はその具体的な記載によって限定されない。例えば、機能性流体は、流体室を構成する２室以上に封入されてそれぞれ保持されていても良く、前記実施形態のように受圧室だけに封入保持される態様には限定されない。
【０１０５】
また、前記実施形態では、流体室として受圧室と平衡室の２室を備える構造が例示されているが、流体室は、必ずしも２室だけを備える構造には限定されず、１室のみで構成されていても良いし、３室以上の複数室を備えていても良い。
【０１０６】
さらに、オリフィス通路は必須ではなく、特に流体室が１室のみで構成されている場合には、オリフィス通路は設けられない。
【０１０７】
また、流体室が２室で構成されている場合に、必ずしも受圧室と平衡室の組み合わせである必要はなく、例えば、それら２室が何れも壁部の一部を本体ゴム弾性体で構成された受圧室とされていても良い。
【０１０８】
また、前記実施形態では、機能性流体と保持手段として、磁性流体と永久磁石の組み合わせが例示されているが、機能性流体と保持手段はそれらに限定されるものではない。具体的には、例えば、機能性流体として磁性流体を採用すると共に、保持手段として電磁石を採用して、電磁石に常時通電することで、磁性流体を保持するための磁場を得ることもできる。更に、例えば、機能性流体として電気粘性流体を採用すると共に、保持手段として電極を備えた通電手段を採用して、通電手段によって電気粘性流体に常時電圧（電場）を印加することで、電気粘性流体の粘度を増大せしめて所定の位置に保持することもできる。
【符号の説明】
【０１０９】
１０，６０，７０，８０，９０，１４０，１５０，１７０：エンジンマウント（流体封入式防振装置）、１２，９２：第一の取付部材、１４，９４：第二の取付部材、１６，９６：本体ゴム弾性体、３６，１０６：可撓性膜、４０，１２２：受圧室（主液室）、４２，１２４：平衡室（副液室）、４４：非圧縮性流体、４６，１２６：オリフィス通路、５０：磁性流体（機能性流体）、５２，６２，７２，８２，１２８，１４２，１５２，１７２：永久磁石（保持手段、磁場印加手段）、５４，６４，７４，８４，１３２，１６０，１７８：狭窄領域、１１０：流体室
【図１】
2015052351.tif 000003
【図２】
2015052351.tif 000004
【図３】
2015052351.tif 000005
【図４】
2015052351.tif 000006
【図５】
2015052351.tif 000007
【図６】
2015052351.tif 000008
【図７】
2015052351.tif 000009
【図８】
2015052351.tif 000010
【図９】
2015052351.tif 000011
【図１０】
2015052351.tif 000012
【図１１】
2015052351.tif 000013
【図１２】
2015052351.tif 000014
【図１３】
2015052351.tif 000015
【図１４】
2015052351.tif 000016
【図１５】
2015052351.tif 000017
【図１６】
2015052351.tif 000018